(57)【特許請求の範囲】
【請求項１】
反転ラッチと、反転ラッチを突出方向に付勢するラッチバネと、ラッチバネのバネ力に抗して反転ラッチと共に後退動しかつ反転ラッチとは別部材のラッチ作動杆とを備え、該扉を開き始めると、前記反転ラッチは戸枠側の受け金具の縁部に当たって、しかも、ラッチバネのバネ力に抗して後退動する扉用錠前に於いて、錠箱内に操作ハンドルの操作力によりスライドする少なくとも一つの摺動体と、該摺動体と係合するように軸支された作動レバーと、該作動レバーと連係するように軸支されたラッチ施錠片がそれぞれ配設され、また前記一つの摺動体と前記ラッチ作動杆との間の空間部分に反転ラッチ用のダンパー装置を設け、このダンパー装置は、前記ラッチ作動杆の後端部側に形成されたラック歯列と、錠箱に設けられた固定横軸と、この固定横軸に回動自在に設けられ、かつ、ラック歯列に噛合する筒状回転部材と、この筒状回転部材の回転に内部抵抗を与える粘性物質とから成る扉用錠前。
【請求項２】
請求項１に於いて、前記作動レバーは、固定横軸に筒状回転部材と共用するように軸支されていることを特徴とする扉用錠前。
【請求項３】
請求項１又は請求項２に於いて、筒状回転部材は、筒内が断面段差状のピニオン歯車と、該ピニオン歯車内に形成され、かつ、粘性物質に抵抗を与える突起を有すると共に、ピニオン歯車に形成された粘性物質用収納孔の一方側を閉鎖する蓋板とから成ることを特徴とする扉用錠前。
【発明の詳細な説明】
【技術分野】
【０００１】
本発明は、錠箱に、反転ラッチと、該反転ラッチとは別個の部材であるラッチ作動杆（反転ラッチの作動を許容するリリース部材）とを備えた扉用錠前に関する。
【背景技術】
【０００２】
反転ラッチの構成に関しては、特許文献１〜６に開示されている。これらの特許文献から明らかなように、反転ラッチは、開扉の際に、操作部材（例えば操作レバー）を操作（押し下げ）により、錠箱内へとそのままストレートに後退動するのではなく、（１）まず、操作部材を操作すると、錠箱内に軸支したラッチ施錠片が、例えばサムターン側のカム部材により直接的に、又は例えばプッシュ・プル方式の操作部材側の単数又は複数個の連動片或いは押圧片を介して反転ラッチのロック状態が解消され、（２）次に、扉を開き始めると、ストライクの連続的な縁部に摺接しながら、かつ、ラッチバネのバネ力に抗して、しかも、リリース部材に対して別個・独立に反転しながら後退する。
【０００３】
ところで、開扉の際、反転ラッチは、金属製ストライクの連続的な縁部（戸枠の垂直端面までの連設部分も含む）に摺接しながら勢い良く復帰するので、反転ラッチの摺接時ないし復帰時に「ストライク側で、ストライクの連続的な縁部、特に連設部分の端面に擦れ合い、瞬間的に強い擦り合い音（弾くようなバシャ或いはガシャというような音）」が発生する。
【０００４】
ここで、開扉時における従来技術の問題点を示すフローチャート式概略説明図を参照にして、従来技術の問題点を付言する。図１６に於いて、戸枠１、受け金具２、ストライクの連続的な縁部３、扉４、反転ラッチ３０等の用語の符号は、本発明の実施例の説明に用いたものを便宜上用いている。
【０００５】
さて、開扉時における反転ラッチ３０とストライクの縁部３とで発生する擦り合い音は、トロヨケが箱型形状であること、ストライクが開口を有する蓋体であること、そして、反転ラッチの衝止面が金属製ストライクの縁部３に常に摺接しながらストライクの縁部３から離れることから、受け金具２の凹所内で反響して増幅するという問題点があった。
【０００６】
すなわち、図１６の符号Ａは、施錠時の状態である。この時、反転ラッチ３０は、受け金具２の凹所内に突出している。また、反転ラッチ３０は、錠前に内装されたラッチ施錠片にロックされている。
【０００７】
符号Ｂは開扉ａの状態である。この開扉ａでは、操作部材（例えばプッシュ・プル錠のハンドル）を操作して扉４を開扉し始めた初期段階である。この時、反転ラッチ３０は、その衝止面３０ａがストライクの縁部３の内側縁（開口縁）に当たるので、反転しつつ引っ込む。この時、反転ラッチ３０は、図示しないラッチバネのバネ力に抗して、かつ、反転しながら錠箱内へと後退動する。
【０００８】
符号Ｃは開扉ｂの状態である。この開扉ｂでは、反転・後退した反転ラッチ３０の突出先端がストライクの連続的な縁部３の外壁面を摺接している状態を示している。
【０００９】
符号Ｄは開扉ｃの状態である。この開扉ｃでは、反転ラッチ３０の突出先端が、相変わらずストライクの連続的な縁部３の外壁面を摺接している状態を示している。したがって、開扉ａ〜開扉ｃでは、反転ラッチ３０とストライクは離れずに接していることが判る。また、反転ラッチ３０は、図示しないラッチバネのバネ力によって、反転状態でストライクを押し続けていることが判る。
【００１０】
符号Ｅは扉４をさらに開いた開扉ｄの状態である。この開扉ｄでは、反転ラッチ３０がストライクの連続的な縁部３の外側縁から離れ、その離れた瞬間に、反転ラッチ３０は、ラッチバネのバネ力によって、符号Ａの状態に戻る。その際、反転ラッチ３０は前板の開口窓の縁にも当たると共に、ストライクの外側縁と反転ラッチ３０が強く擦れ合い、或いは弾くように擦れ合い、前述した擦り合い音（弾くようなバシャ或いはガシャというような音）が発生する。
【００１１】
そこで、現在、錠箱に、反転ラッチと、該反転ラッチを突出方向に付勢するラッチバネと、前記反転ラッチとは別個の部材であり、かつ、ラッチバネのバネ力に抗して反転ラッチと共に後退動するラッチ作動杆とを備え、扉の壁面側の操作部材を操作して該扉を開き始めると、反転ラッチは戸枠側の受け金具の縁部に当たって、しかも、前記ラッチバネのバネ力に抗して後退動する扉用プッシュ・プル錠に於いて、上述した「擦り合い音」を極力減退（静音）或いは解消することができる新規な扉用プッシュ・プル錠の出現が要望されている。
【００１２】
ところで、特許文献７には、開扉の際、操作部材から手を離したときに、ラッチボルトがラッチバネのバネ力により勢い良く突出しないように、錠箱内にラッチボルト用のダンパー装置を設ける事項が開示されている。
【００１３】
このダンパー装置は、例えばラッチとラッチ軸が一体型のラッチボルトの一辺に形成したラック歯列と、該ラッチボルトに直接噛合するピニオンと、該ピニオンのトルク軸（回転軸）を、高粘性物質の抵抗を介して支持する錠箱側の筒状軸受けで構成されている。したがって、前記ラッチボルトは「一つの部材」であるから、例えばレバーハンドルの操作力によってそのまま後退動する。それ故に、錠前にラッチ用のダンパー装置を設けることは公知事項である。
【００１４】
しかしながら、錠前のラッチにも色々な種類あり、また錠前には、「プシュ・プル錠」と称されるものも存在する。特に錠前がプシュ・プル錠であり、かつ、該プシュ・プル錠の錠箱内にラッチ作動杆（リリース部材）とは別個の部材であって、しかも、ストライクの連続的な縁部に摺接しながら、かつ、ラッチバネのバネ力に抗して独自に反転しながら後退する「反転ラッチ」に対してダンパー装置を設ける場合には、錠前を構成する各部材を合理的に配設する必要がある。
【００１５】
けだし、錠前の錠箱は、普通一般にケース身とケース蓋から構成され、その限定された内部空間にプシュ・プル錠に必要な各構成部材を反転ラッチと共に組み込む必要があるからである。
【００１６】
現在、特許文献７と同様に「反転ラッチ」を備えた扉用プッシュ・プル錠（特にプシュ・プル錠）においても、図１６で指摘した問題点の観点から、反転ラッチが独自に作動するように、該反転ラッチ用のラッチ枠部、ラッチバネ、ダンパー装置等合理的に配設することが望まれている。
【特許文献１】特公平２−５５５９１号
【特許文献２】特開平１１−１４１４０７号公報
【特許文献３】特許公開２００３−７４２４５号公報
【特許文献４】特許公開２００４−１６２３１１号公報
【特許文献５】特許公開２００４−２１１５２９号公報
【特許文献６】特許公開２００５−１２０７６９号公報
【特許文献７】特開平９−１５１６５３号公報
【発明の開示】
【発明が解決しようとする課題】
【００１７】
そこで、本発明の第１の目的は、リリース部材に対して別個・独立に反転する反転ラッチを備えた扉用錠前に於いて、開扉時に発生するバシャ或いはガシャというような「強い擦り合い音」を極力減退（静音）或いは解消（消音）することである。第２の目的は、錠箱に反転ラッチ用のダンパー装置を合理的に設け、錠箱内の限られたスペースを有効的に活用することができることである。第３の目的は、ダンパー装置を構成するピニオン歯車が、その回転の際に粘性物質に対して抵抗を与えることができると共に、粘性物質が、極力外部に漏れないようにすることである。
【課題を解決するための手段】
【００１８】
本発明の扉用錠前は、反転ラッチと、反転ラッチを突出方向に付勢するラッチバネと、ラッチバネのバネ力に抗して反転ラッチと共に後退動しかつ反転ラッチとは別部材のラッチ作動杆とを備え、該扉を開き始めると、前記反転ラッチは戸枠側の受け金具の縁部に当たって、しかも、ラッチバネのバネ力に抗して後退動する扉用錠前に於いて、錠箱内に操作ハンドルの操作力によりスライドする少なくとも一つの摺動体と、該摺動体と係合するように軸支された作動レバーと、該作動レバーと連係するように軸支されたラッチ施錠片がそれぞれ配設され、また前記一つの摺動体と前記ラッチ作動杆との間の空間部分に反転ラッチ用のダンパー装置を設け、このダンパー装置は、前記ラッチ作動杆の後端部側に形成されたラック歯列と、錠箱に設けられた固定横軸と、この固定横軸に回動自在に設けられ、かつ、ラック歯列に噛合する筒状回転部材と、この筒状回転部材の回転に内部抵抗を与える粘性物質とから成ることを特徴とする。
【発明の効果】
【００１９】
（１）例えば図１６のＥの場合に於いて、反転ラッチ３０がストライクの前面から離れる瞬間（完全突出する際）、ダンパー装置Ｚのダンパー効果により、筒状回転部材２１が固定横軸１９或いは錠箱側の筒状軸受けに対してゆっくり回転する。したがって、ラッチ作動杆は粘性物質の粘性抵抗が作用する分だけ減速してフロント側に前進する。その結果、ラッチバネ３２の付勢力が減衰した状態で反転ラッチが完全突出するので、従来技術で指摘したように、擦り合い音（弾くようなバシャ或いはガシャというような音）を極力減退或いは解消することができる。
（２）請求項２に記載の発明は、錠箱内の限られたスペースを有効的に活用することができる。
（３）請求項３に記載の発明は、ダンパー装置を構成する粘性物質が、極力外部に漏れないようにすることができる。
【発明を実施するための最良の形態】
【００２０】
図１乃至図１２を参照にして本発明の第１実施例を説明する。まず、環境部材について簡単に説明する。１は寝室、トイレ、各部屋等の出入口の戸枠、２はトロヨケ及びストライクを有する金属製の受け金具、３は戸枠に固着具を介して固定された前記ストライクの縁部、４は水平方向に回動して出入口を開閉する扉（例えば室内扉）、５は室内の扉４の戸先に設けられた錠前、本実施例ではプッシュ・プル錠５である。
【００２１】
錠前５の錠箱６の上部側には、前板７に対して回動可能に設けられた回動ボタンを回動操作すると、プッシュ・プル錠におけるラッチ施錠片（ロッキングピース）の解除態様が、プッシュ・プル仕様又はプル仕様のいずれかに切り替わるラッチの係止解除機構Ｘが組み込まれている。
【００２２】
一方、錠箱６の下部側には、開扉の時に不注意により反転ラッチを施錠した状態で扉を閉めた時に反転ラッチの施錠状態が自動的に解錠状態となるサムターン錠の締め出し防止装置Ｙとが設けられている。締め出し防止装置Ｙの具体的構成は、本発明に関係がないので、割愛する。
【００２３】
次に図２を参照にして錠箱６の構成と主な部材を説明する。錠箱６は、ケース身６ａと、このケース身６ａの一側開口を閉鎖する矩形状のケース蓋６ｂとから成り、前記ケース身６ａは前板７を有する。ここで、「前板７」とは、長板状の取付け前板７ａ又は／及びフロント７ｂを意味する。取付け前板７ａとフロント７ｂとが別体の場合には、両者は図示しない固着具を介して合体する。
【００２４】
８は前板７の中央部に形成した開口窓９を基準としてケース身６ａに形成された、或いは設けられた隔壁状のラッチ枠部で、このラッチ枠部８は、図３で示すように、例えば端面コ字型状に形成されている。ここで図３を参照にしてラッチ枠部８を簡単に説明する。８ａは上壁、８ｂは下壁、８ｃは上下壁に交差する後壁である。
【００２５】
しかして、前記上壁８ａには反転ラッチの係止解除機構Ｘを構成する第１施錠片用の第１受入れ孔１０が形成され、一方、この第１受入れ孔１０に対向するように前記下壁８ｂには、サムターン錠の締め出し防止装置Ｙを構成する図示しない第２施錠片用の第２受入れ孔１１が形成されている。
【００２６】
前記第１・第２受入れ孔１０，１１は、本実施例では開口窓９側から前記後壁８ｃに向かって形成された水平長孔である。またラッチ枠部８の後壁８ｃの一側壁（ケース身の幅広側壁側の側壁）には、上下方向の一部（例えば中央部）にラッチ作動杆用の切欠部１２が形成されている。図２に戻って、１４は前板７の上部側に形成された回動ボタン用の支持部（嵌合孔）である。
【００２７】
また、錠箱６の上部の中央部分には、錠箱内にラッチ施錠片６０と係合するように組み込まれる単数又は複数個の摺動部材を水平方向に案内するために、上下一対の水平案内部（例えば水平長孔、水平溝など）１６が形成されている。本実施例では、複数個の水平案内部１６が形成されている。
【００２８】
また、本発明の錠前５は、プッシュ・プル錠に適用しているので、錠箱６の上方隅角部には、操作ハンドルに連動する連動片（例えば押圧片）用の矩形状窓孔１７が形成されている。さらに、錠箱６には、ラッチ施錠片６０及び作動レバー５５を揺動（回動）させるための固定横軸１８，１９が水平方向に併設されている。ここで、説明の便宜上、符号１８をラッチ施錠片用の第１固定横軸、符号１９を作動レバー用の第２固定横軸（或いはトルク軸）とする。加えて、錠箱６には前板７付近にバネ受け２０、取付け孔等が設けられている。
【００２９】
したがって、錠箱５には、開口窓７，回動ボタン用嵌合孔１４，摺動体を案内する水平案内部１６，内外の操作ハンドル側の押圧片用窓１７，各揺動部材用の複数個の固定横軸１８，１９などが形成されていると共に、前記開口窓７に対して反転ラッチを案内するラッチ枠部８が設けられ、或いは形成されている。なお、本発明の構成に関係のない部分は省略してある。
【００３０】
次に錠箱に組み込まれる主な部材について説明する。３０はラッチ枠部８に設けられ、かつ、前板７のフロント板７ｂを基準に進退動する反転ラッチである。反転ラッチ３０は、公知のように金属製の受け金具２のストライクと係合する。特に、反転ラッチ３０は、扉４の開閉時、前述した金属製ストライクの縁部３に摺接しながら勢い良く復帰するので、反転ラッチの摺接時ないし復帰時に、例えば「ストライク側で強い擦り合い音」が発生する。
【００３１】
したがって、ここでの「（反転）ラッチ」は、発明の目的との関係で「反転ラッチ」と称されるものを意味し、該反転ラッチの一例は、図３に概略的に示してある。前述したように、反転ラッチ３０は、ラッチ作動杆（リリース部材）３３とは別個の部材である。扉の開閉の際に独自に作動（反転）する。
【００３２】
ここで、図３を参照にして反転ラッチ３０の構成について説明する。３０ａはストライクの縁部（開口縁、戸枠の縁など）３と摺接する垂直状態の衝止面である。３０ｂ，３０ｂは、反転ラッチ６の上下面からそれぞれ凸片状に突出する突起部で、これらの突起部３０ｂ，３０ｂは反転ラッチの回転軸としての機能、後述するラッチ施錠片と係合する機能を有する。３０ｃ，３０ｃは反転ラッチの後端部で、この後端部３０ｃ，３０ｃにはラッチバネ３２の一端部３２ａを支持するバネ端収納部３１が形成されている。
【００３３】
３２はラッチ軸に相当するラッチ作動杆３３の端面Ｌ型状先端部３４に一端部３２ａが圧接し、一方、その他端部３２ｂがラッチ枠部８の後壁８ｃ内面に圧接するラッチバネである。本実施例では、図１で示すように、このラッチバネ３２の一端部３２ａが、ラッチ作動杆３３の先端部３４ａの内面に圧接する。したがって、ラッチバネ３２は、ラッチ作動杆３３の先端部３４ａを介して反転ラッチ３０のバネ端収納部３１に組み込まれ、反転ラッチ３０を常時突出方向に付勢する。
【００３４】
次に、図３及び図４を参照にしてラッチ作動杆（単に「作動杆」という）３３について説明する。３４は作動杆のＬ型状先端部で、この先端部３４は、反転ラッチ３０のバネ端収納部３１の内壁面に直接又は間接的に組み込まれ、かつ、ラッチバネ３２のバネ力により該内壁面に圧接する。
【００３５】
ところで、作動杆３３の形態に関しては、棒状、板片状等任意に設計変更可能であるが、本実施例では、ラッチバネ３２の一端部３２ａを受けるバネ端支持壁３４ａと、該バネ端支持壁３４ａに交差状に連設しかつ前述したラッチ枠部８の切欠部１２に案内される摺動壁３４ｂとを有する先端部３４と、この先端部３４に板状に連設する後端部３５とから成り、前記後端部３５の一辺（上辺）には、ラック歯列３６が形成されている。
しかして、前記バネ端支持壁３４ａのバネ端用支持突起３７を有する内壁面に対向する中間突起壁３８との間には、ラッチバネ３２を組み込むことができる所要のバネ収納空間３９が設けられている。
【００３６】
ここで、図５乃至図７を参照にして、錠箱６内に設けた反転ラッチ３０用のダンパー装置Ｚについて説明する。図面に示したダンパー装置Ｚは、ラッチ作動杆３３の後端部３５側の一辺に形成されたラック歯列３６と、錠箱６側に固定的に設けられた固定横軸（支軸）１９と、この固定横軸１９に回動自在に設けられ、かつ、前記ラック歯列３６に噛合する係合歯２３ａを有する筒状回転部材２１と、前記固定横軸１９の外周に対する筒状回転部材２１の筒内部に入れた（注入、塗布等）粘性物質２２とから成る。粘性物質２２は、望ましくはシリコンオイル或いはシリコングリスと称されている高粘性物質である。
【００３７】
しかして、筒状回転部材２１は、筒内が断面段差状のピニオン歯車２３と、該ピニオン歯車内に形成され、かつ、粘性物質２２に抵抗を与える単数又は複数個の小突起２５を有すると共に、ピニオン歯車２３に形成された粘性物質用収納孔の一方側を閉鎖する蓋板２４とから成る。前記小突起２５は、本実施例では、ピニオン歯車２３の内周に対向状態に「２個」形成され、ピニオン歯車２３の回転時、粘性物質２２に対して邪魔する（抵抗を与える）機能を発揮する。
【００３８】
ところで、ピニオン歯車２３の筒内部は、図７で示すように断面段差状であり、小径の軸孔２７と、この軸孔２７に連通すると共に該軸孔２７よりも大径の粘性物質用収納孔２８と、この収納孔２８に連通すると共に該収納孔２８よりも大径の嵌合孔２９をそれぞれ有している。
【００３９】
なお、ダンパー装置Ｚの他の構成に関して、図面に示したダンパー装置Ｚと構成が実質的に同一なので、特に図示しないが、筒状回転部材２３側に固定横軸（トルク軸）が一体的に設けられ、一方、錠箱６側には前記固定横軸を、粘性物質２２を介して支持する筒状軸受けが固定されていても良い（特許文献７の公知の構成）。
【００４０】
さらに、本発明の最適の錠前について説明する。本発明の錠前５は、ラッチの係止解除機構Ｘを備えるプシュ・プル錠である。このプシュ・プル錠５は、錠箱６内に、操作ハンドルの操作力によりスライドする少なくとも一つの摺動体４６（４７）と、該摺動体と係合するように軸支された作動レバー５５と、該作動レバーと連係するように軸支されたラッチ施錠片６０がそれぞれ配設され、前記作動レバー５５は、固定横軸１９に筒状回転部材２１と共用するように軸支されている。
【００４１】
そこで、ラッチの係止解除機構Ｘを構成する部材について説明する。４０は前板７に対して回動可能に設けられた回動ボタンで、この回動ボタン４０を略９０度回すと、本実施例ではプッシュ・プル錠におけるラッチ施錠片の解除態様が、プッシュ・プル仕様又はプル仕様のいずれかに切り替わる。図１及び図６を参照にして回動ボタン４０を説明する。
【００４２】
４１は周胴部で、この周胴部４１は錠箱６の取付け前板７ａの内壁面側に位置する。４２は周胴部４１の外周壁面に半径方向に突設された１又は２以上のストッパー部で、このストッパー部４２は、回動ボタン４０の回転位置如何によって後述する第２摺動体の前進を規制する機能を果す。
【００４３】
４３は周胴部４１の前面に突設された嵌合突起で、この嵌合突起４３は前板７の嵌合孔１４に嵌合する。嵌合突起４３の前面は、フロント７ｂの前面と面一であり、図示しない小ドライバー用の溝４３ａを有する。
【００４４】
４４は嵌合突起４３と周胴部４１との間に連設形成された角型或いは矩形板状のバネ支持部である。４５は回動ボタン４０に対して設けられたクリックバネで、このクリックバネ４５の左右の棒状当接部４５ａ，４５ａは、前記バネ支持部４４の外周面にそれぞれ圧接する。
【００４５】
次に、図１、図１０に於いて、４６．４７は錠箱５の上方の収納空間に水平状態に配設されたプッシュ・プル用摺動体である。ここでは外枠の摺動体を第１摺動体４６、一方、外枠の摺動体内に組み込まれた枠状の摺動体を第２摺動体４７とする。また、外側の操作ハンドルに連動する部材を上方の押圧片４８とし、一方、内側の操作ハンドルに連動する部材を下方の押圧片４９とする。
【００４６】
そこで、図１０を参照にして外枠の第１摺動体４６と内側の第２摺動体４７とを説明する。まず外枠の第１摺動体４６は、複数個の係合突起を介して錠箱６の水平案内部１６に水平動自在に設けられている。
【００４７】
しかして、４６ａは上壁部、４６ｂは下壁部、４６ｃは上下壁部と直交する後壁部、４６ｄは後壁部に対して所要の空間を有して対向する前壁部である。
前記後壁部４６ｃの内壁面は、図示しない操作部材に連動する上下の押圧片４８，４９を受ける受け板の機能を有する。また前記下壁部４６ｂの一部には作動レバー用の切欠部５１が形成されている。
【００４８】
次に、内側の第２摺動体４７は、横長のコ時型形状に形成され、回動ボタン４０及び上下の押圧片４８，４９にそれぞれ関連付けられて外枠第１摺動体４６内に水平動自在に設けられている。
【００４９】
しかして、４７ａは内側の上壁部、４７ｂは内側の下壁部、４７ｃは上下壁部４７ａ，４７ｂと直交する内側の後壁部、４７ｄは後壁部と対抗するバネ受け用隔壁、４７ｅは回動ボタン４０のストッパー４２と関係する先端部である。
【００５０】
前記内側の上下壁４７ａ，４７ｂの先端部寄りの部位には、前述した前壁部４６ｄに対する逃し用切欠部が形成され、また前記内側の下壁４７ｂの一部には、作動レバー用の切欠部５１と同様の内側切欠部５４が形成されている。
【００５１】
さらに、前記バネ受け用隔壁４７ｄは前述した摺動体用付勢バネ５２の他端（後端）部を受ける。したがって、摺動体用付勢バネ５２は、第１及び第２摺動体４６，４７内に組み込まれている。なお、第１摺動体４６の前壁部４６ｄには、符号を付さない逃し用切欠部が形成されている。
【００５２】
次に、作動レバー５５と、該作動レバー５５と連係するラッチ施錠片６０について説明する。作動レバー５５は第２固定横軸１９に軸支されている。一方、ラッチ施錠片６０は、第１固定横軸１８に軸支されている。両部材５５，６０は、図８で示すように、例えばラッチ施錠片６０の後端部６０ａに突設した係合部（例えば可動突起）６１と、作動レバー５５の先端部５５ａに形成した被係合部（例えば係合長孔）５６を介して互いに連係されている。
【００５３】
さて、作動レバー５５は、図８で示すように、例えば一枚の板材をチャンネル形状に形成し、その対向壁に第２固定横軸１９用の軸孔５７を形成している。したがって、作動レバー５５と筒状回転部材２１は一つの固定横軸（或いはトルク軸）１９を共用している。
【００５４】
また作動レバー５５は、その対向壁の一方側を長板状に延設し、その先端部５５ａに被係合部（例えば係合長孔）５６を形成している。さらに、長板状の対向壁の上辺に立ち上がり状の第２係合アーム部５８を形成し、該第２係合アーム部５８は、図１で示すように、第１摺動体４６の切欠部５１を介して第２摺動体４７の切欠部５４内へと入り込んでいる。
【００５５】
一方、ラッチ施錠片６０の後端部６０ａには、前述した係合部（例えば可動突起）６１の他に、第１固定横軸１８用の軸孔６２が形成されている。そして、この軸孔６２を基準にすると、該軸孔６２よりも下方部位には、作動片３３に軸支した係止カム３８と係合可能な突起状摺接部６３が設けられている。また、後端部６０ａには、作動レバー５５の第２係合アーム部５８と同様に、第１摺動体４６の切欠部５１内へと入り込む第１係合アーム部６５が設けられている。
【００５６】
さらに、当然のことながら、ラッチ施錠片６０の先端部６０ｂは、反転ラッチ３０の突起３０ｂと係脱するロック部分６４を有する。加えて、ラッチ施錠片６０は、第１固定横軸１８に巻装されているバネ６６により、ラッチに係合する方向に常時付勢されている。
【００５７】
次に、図１１及び図１２を参照にして作用を説明する。まず、図１１は図示しない操作部材を引く（又は押す）という操作しながら、若干扉を開き始めた所の作動態様を示す。この時、操作部材の操作力により、（ａ）例えば内側の第２摺動体４７は該押圧片４９を介して前板７側に移動し、（ｂ）また同時に、作動レバー５５が第２固定横軸１９を支点に反時計方向に回転し、（ｃ）また同時に、可動突起６１が下方へ移動し、（ｄ）また同時に、ラッチ施錠片６０は、第１固定横軸１８を支点に時計方向に回転して反転ラッチ３０の突起３０ｂから離れる。
【００５８】
このように、（ａ）〜（ｄ）は、操作ハンドルを引く（又は押す）という操作に起因して各部材が同時に連動し、その結果、反転ラッチ３０に対するラッチ施錠片６０のロック状態が解消される。
【００５９】
それ故に、若干扉を開き始めると、（ｅ）反転ラッチ３０は、金属製のストライクの縁部３に押されることになるから、開扉量に対応してかつラッチバネ３２のバネ力に抗して反転しながら後退動する。（ｆ）反転ラッチ３０が後退すると、当然、作動片３３もバネ３２のバネ力に抗して後退する。この時、反転ラッチ３０の作動に連動する作動片３３は矢印Ａ方向へ後退動することになるから、筒状回転部材２１も作動レバー５５と同じ方向（反時計方向）へ回転する。この時、筒状回転部材２１は筒内部の高粘性物質２２の粘性抵抗（内部抵抗）に抗して固定横軸１９に対して回転することになるが、普通一般に、人は扉を勢い良く開けないものである。
【００６０】
一方、図１２は、図１６のＥの開扉ｄに相当する場合である。前述したように、普通一般に反転ラッチ３０がストライクの縁部３から解放される瞬間、ラッチバネ３３の付勢力により勢い良く、矢印Ｂ方向へと完全突出しようとするが、本実施例では、反転ラッチ３０の前進時にもダンパー装置Ｚのダンパー効果により、筒状回転部材２１が固定横軸１９或いは錠箱側の筒状軸受けに対してゆっくり回転する。
【００６１】
したがって、作動杆３３は粘性物質２２の粘性抵抗が作用する分だけ減速してフロント側に前進する。その結果、ラッチバネ３２の付勢力が減衰した状態で反転ラッチが完全突出するので、従来技術で指摘したように、「擦り合い音」が減退或いは解消する。
なお、操作部材から手を離すと、各部材が前述した（ａ）〜（ｄ）の反対の作動態様（第２摺動体４７は右側に移動、作動レバー５５は時計方向に回転、可動突起６１は上方へ移動、ラッチ施錠片６０は反時計方向に回転等）になる。
【実施例】
【００６２】
次に、この欄では、図１３乃至図１５に示すプッシュ・プル錠５の要部（作動レバー５５Ａとラッチ施錠片６０との連係構成）を変更した第２実施例を説明する。なお、この第２実施例の説明に当たって、前記第１実施例と同一又は同様（機能が同一）の部分には、同一又は同様の符号を付し、重複する説明を省略する。
【００６３】
この第２実施例が前記第１実施例と異なる点は、内枠状の第２摺動体４７と係合するように第２固定横軸１９軸支された作動レバー５５Ａと、該作動レバー５５Ａと連係するように第１固定横軸１８に軸支されたラッチ施錠片６０Ａとの組合せ関係である。
【００６４】
この相違点は、例えば図８と図１３を対比すると明らである。すなわち、第１実施例では、ラッチ施錠片６０の後端部６０ａに突設した係合部（例えば可動突起）６１と、作動レバー５５の先端部５５ａに形成した被係合部（例えば係合長孔）５６とは、互いに一体的に連結されているのに対して、第２実施例では、ラッチ施錠片６０Ａの後端部６０ａに作動レバー５５Ａの先端部５５ａが乗っかっている。
【００６５】
上記のようにプッシュ・プル錠５の要部を設計変更しても、第１実施例と同一の目的を達成することができ、また、同一の作用・効果がある。
【００６６】
なお、付言すると、本実施例のプッシュ・プル錠５は、前板７の手前から図示しないドライバーの先を回動ボタン４０の溝４３ａに差し込み、回動ボタン４０を回動操作すると、プッシュ・プル錠におけるラッチ施錠片６０の解除態様が、プッシュ・プル仕様又はプル仕様（又はプッシュ仕様）のいずれかに切り替わる。
【図面の簡単な説明】
【００６７】
図１乃至図１２は、本発明の第１実施例を示す各説明図。図１３乃至図１５は、プッシュ・プル錠の要部を設計変更した第２実施例を示す各説明図。図１６は従来技術の問題点を示すフローチャート式概略説明図。
【図１】扉の閉戸時における錠前の内部構造を示す概略説明図。
【図２】ケース身を主とした錠箱の説明図。
【図３】ラッチ、ラッチ枠部、ラッチバネ及び作動杆の説明図。
【図４】主要部（作動杆及び筒状回転部材）の概略説明図。
【図５】錠箱の後壁側から見た主要部（作動杆、筒状回転部材及び固定横軸）の概略説明図。
【図６】図６（ａ）は、固定横軸を含む筒状回転部材の正面図、図６（ｂ）は図６（ａ）のＡ−Ａ線断面説明図。
【図７】固定横軸を含む筒状回転部材の分解説明図。
【図８】プッシュ・プル錠を構成する第１・第２摺動体、作動レバー、ラッチ施錠片等の斜視図。
【図９】プッシュ・プル錠を構成する回動ボタン、クリックバネ等の説明図。
【図１０】プッシュ・プル錠を構成する第１摺動体と第２摺動体との組合せ関係を示す説明図。
【図１１】作用の説明図（操作部材を操作しながら、若干扉を開き始めた所の作動態様）。
【図１２】扉の開扉の瞬間における錠前の内部構造を示す概略説明図。
【図１３】第２実施例の概略説明図（図８と同様の概略説明図）。
【図１４】図１１と同様の説明図。
【図１５】図１２と同様の説明図。
【図１６】従来技術の問題点を示すフローチャート式概略説明図。
【符号の説明】
【００６８】
Ｘ…ラッチの係止解除機構、Ｙ…サムターン錠の締め出し防止機構、Ｚ…ダンパー装置、１…戸枠、２…受け金具、３…縁部、４…扉、５…錠前、６…錠箱、７…前板、８…ラッチ枠部、９…開口窓、１４…支持部、１７…窓孔、１９…固定横軸（又はトルク軸）、２１…筒状回転部材、２２…粘性物質、２３…ピニオン歯車、２３ａ…係合歯、２４…蓋板、２５…小突起、２７…軸孔、２８…粘性物質用収納孔、２９…嵌合孔、３０…反転ラッチ、３２…ラッチバネ、３３…ラッチ作動杆、３４…ラッチ作動杆の先端部、３５…ラッチ作動杆の後端部、３６…ラック歯列、３８…中間突起壁、３９…バネ収納空間、４０…回動ボタン、４６…第１摺動体、４７…第２摺動体、５５．５５Ａ…作動レバー、６０，６０Ａ…ラッチ施錠片。
【図１】
0004741927.tif 000002
【図２】
0004741927.tif 000003
【図３】
0004741927.tif 000004
【図４】
0004741927.tif 000005
【図５】
0004741927.tif 000006
【図６】
0004741927.tif 000007
【図７】
0004741927.tif 000008
【図８】
0004741927.tif 000009
【図９】
0004741927.tif 000010
【図１０】
0004741927.tif 000011
【図１１】
0004741927.tif 000012
【図１２】
0004741927.tif 000013
【図１３】
0004741927.tif 000014
【図１４】
0004741927.tif 000015
【図１５】
0004741927.tif 000016
【図１６】
0004741927.tif 000017